(57)【特許請求の範囲】
【請求項１】
複数の図柄表示部を表示可能な図柄表示器を備え、図柄変動信号により、前記図柄表示部の図柄が変動後に確定図柄を表示する可変表示ゲームが行われる遊技機であって、
前記図柄変動信号により、前記図柄表示部に表示の図柄と共に付随図柄を変動表示させた後に、前記図柄表示部に停止図柄と付随図柄を停止表示し、
前記停止表示の付随図柄の組合せによって、前記図柄表示部の図柄を再変動し、
この再変動する図柄は、前記図柄表示部に停止の前記停止図柄と異なる確定図柄を停止表示することを特徴とする遊技機。
【請求項２】
各図柄表示部に表示する付随図柄の種類を抽選によって選定することを特徴とする請求項１の遊技機。
【請求項３】
図柄表示部を第１図柄表示部と第２図柄表示部と第３図柄表示部で構成し、再変動する図柄表示部は最後の停止表示する第３図柄表示部であることを特徴とする請求項１又は請求項２の遊技機。
【請求項４】
操作手段を介して、複数種の付随図柄の何れかを選択することを特徴とする請求項１又は請求項２の遊技機。
【請求項５】
再変動するか否かを選定する確率を、既に生起した大当たり回数又はリーチ回数又は可変表示ゲーム回数の遊技状態により変更させることを特徴とする請求項１から請求項４の何れか１項の遊技機。
【発明の詳細な説明】
【０００１】
【発明の属する技術分野】
本発明は、複数の図柄を変動表示をする図柄表示器を有する遊技機であって、可変表示ゲームにおける表示図柄の取り扱いに関する。
【０００２】
【従来の技術】
遊技機としてのパチンコ機は、遊技盤のほぼ中央に液晶式等の図柄表示器を備えた図柄表示装置が配置してある。そして、遊技球が普通電動役物に付設の図柄始動口に入賞すると、前記図柄表示器に、複数の図柄を変動表示可能な複数の第１図柄表示部Ｌ１、第２図柄表示部Ｌ２、第３図柄表示部Ｌ３に区分表示され、それらの図柄表示部Ｌ１、Ｌ２、Ｌ３には変動図柄が表示されて、可変表示ゲームが開始し、所定時間後に、順次図柄が停止し、第１図柄表示部Ｌ１と第２図柄表示部Ｌ２が同じ図柄（リーチ図柄）に表示されるとリーチ状態になり、その後、第３図柄表示部Ｌ３が表示されて、全て同じ図柄であるとき、遊技者にとって有利な大当たりが生起して、多量の賞品球の払出を可能にする。
【０００３】
【発明が解決しようとする課題】
前記可変表示ゲームにおいて、第１図柄表示部Ｌ１と第２図柄表示部Ｌ２とで、リーチになると、リーチ態様を表示し、そして第３図柄表示部Ｌ３との組合せが大当たり図柄にならないと外れになるという、図柄表示である。
そのため、遊技者にとって、第１図柄表示部と第２図柄表示部に表示された図柄の組合せが、少なくともリーチでない時には、大当たりにならないことが判り、期待感がなくなり、可変表示ゲームの面白味に欠けることになる。
そこで、本発明は、係る不都合を解消する図柄表示器の表示態様を提供するものである。
【０００４】
【課題を解決するための手段】
請求項１の遊技機は、複数の図柄表示部を表示可能な図柄表示器を備えていて、図柄変動信号により、前記図柄表示部の図柄が変動後に確定図柄を表示する可変表示ゲームが行われる。又、この遊技機は、前記図柄変動信号により、前記図柄表示部に表示の図柄と共に付随図柄を変動表示させた後に、前記図柄表示部に停止図柄と付随図柄を停止表示する。
そして、停止表示の付随図柄の組合せによって、前記図柄表示部の図柄を再変動し、この再変動する図柄は前記図柄表示部に停止の前記停止図柄と異なる確定図柄を停止表示する。
この再変動した確定図柄が、先に停止表示した停止図柄と異なることによって、先の停止表示が外れ表示であっても、再変動によって大当たりとなる場合が生ずる。
又、請求項２の遊技機は、各図柄表示部に表示する付随図柄の種類を抽選によって選定する。
又、請求項３の遊技機は、図柄表示部を第１図柄表示部と第２図柄表示部と第３図柄表示部で構成し、再変動する図柄表示部は最後の停止表示する第３図柄表示部である。
又、請求項４の遊技機は、操作手段を介して、複数種の付随図柄の何れかを選択する。
又、請求項５の遊技機は、再変動するか否かを選定する確率を、既に生起した大当たり回数又はリーチ回数又は、可変表示ゲーム回数の遊技状態により変更させる。
【０００５】
【発明の実施の形態】
図１（正面図）は遊技機としてのパチンコ機を示し、大当たりが終了後に高確率に変更可能な確率変動形式の遊技機であって、発射装置のハンドル２の操作により供給皿３からの１球毎に供給される遊技球をガイドレール５で案内して遊技領域６に発射する。尚、前記供給皿３の下には貯留皿４が配設してあって、供給皿３が満杯となったときオーバーフローした賞品球を貯留する。
遊技領域６のほぼ中央部には、複数の変動図柄を介して可変表示ゲームを行う液晶式の図柄表示器Ｌを備えた図柄表示装置１０が配置してあり、この図柄表示器Ｌには第１図柄表示部Ｌ１、第３図柄表示部Ｌ３、第２図柄表示部Ｌ２に区分表示し、例えば、０〜９、Ａ〜Ｅの１５種類の図柄Ｘ（Ｘ１、Ｘ２、Ｘ３）を表示すると共に、それらの図柄Ｘ（Ｘ１〜Ｘ３）に対応して、例えば、ジャンケンゲームの「グー」、「チョキ」、「パー」の３種類の付随図柄Ｙ（Ｙ１、Ｙ２、Ｙ３）も併せて表示する（図５参照）。
【０００６】
従って、第１図柄表示部Ｌ１には図柄Ｘ（Ｘ１）と付随図柄Ｙ（Ｙ１）が、第２図柄表示部Ｌ２には図柄Ｘ（Ｘ２）と付随図柄Ｙ（Ｙ２）が、第３図柄表示部Ｌ３には図柄Ｘ（Ｘ３）と付随図柄Ｙ（Ｙ３）が表示される。
尚、第１図柄表示部Ｌ１と第２図柄表示部Ｌ２に表示の停止図柄Ｘ（Ｘ１、Ｘ２）が同じ図柄を表示するときをリーチといい、第１図柄表示部Ｌ１と第２図柄表示部Ｌ２と第３図柄表示部Ｌ３に停止の図柄Ｘ（Ｘ１、Ｘ２、Ｘ３）が同じ図柄（大当たり図柄）で確定表示されたとき大当たりとする。
【０００７】
図柄表示装置１０の左右側部には、始動ゲート７ａ、７ｂが配置してあって、遊技球がそれらの始動ゲート７ａ、７ｂを通過すると、大入賞器９に付設の普通図柄表示器１３の図柄が変動表示し、所定時間（ａ秒）経過後に停止し、その確定図柄が予め設定した図柄と一致したとき当たりとなり、前記図柄表示装置１０の下部に配置してある開閉式の図柄始動口（普通電動役物）８ａを所定時間、開成して、遊技球を受入れ易くする。
尚、前記普通図柄表示器１３の図柄が変動中に始動ゲート７ａ、７ｂを通過して記憶する遊技球数は、最大４個であり、その記憶数に応じて、普通図柄表示器１３の左右側に設置の記憶ランプ（４個のＬＥＤ）１２が点灯する。
【０００８】
そして、遊技球が、前記図柄始動口（普通電動役物）８ａと、その上部に設けた図柄始動口８ｂに入賞すると後記で詳述する可変表示ゲームを開始する。
尚、この図柄始動口８ａ、８ｂへの入賞球の数は、最大４個の記憶が認められ、その記憶数に対応して、図柄表示装置１０の上部に設置の記憶ランプ（４個のＬＥＤ）ＬRが点灯する。
又、図柄始動口８ａの下部に配置の大入賞器９は、大当たりとなったとき、開閉扉９ａを開成する。
又、前記図柄始動口８ａ、８ｂの左右には、入賞口１１ａ、１１ｂが配置してあって、遊技球が入賞すると、所定の賞品球の払出を行う。
【０００９】
次に、前記構成の遊技機における可変表示ゲームについて、割込処理で実行される制御フローを参照して説明する。
図２（Ａ）は初期化を行い、パチンコ機の電源が投入されると（Ｓ１）、判定カウンタＨｃ（０〜３２９の循環数）、図柄Ｘの図柄選定手段である循環カウンタＭ１、Ｍ２、Ｍ３、付随図柄Ｙの付随図柄選定手段である循環カウンタＮ１、Ｎ２、Ｎ３、再変動数Ｎ及び判定メモリＱ（Ｉ）（Ｉ＝１〜４）を初期化する。
又、大当たりの確率を低確率に設定する。
【００１０】
図２（Ｂ）は、判定カウンタＨｃ（０〜３２９）と、大当たり等における各図柄表示部Ｌ１、Ｌ２、Ｌ３に確定表示する図柄を選定する循環カウンタＭ１、Ｍ２、Ｍ３（０〜１４）、循環カウンタＮ１、Ｎ２、Ｎ３（０〜２）及び再変動数Ｎ（０〜９）の発生処理を行う。
先ず、判定カウンタＨｃにリセット時間（所定時間（２ｍｓ））毎に１を加算し（Ｓ２０）、その加算した判定カウンタＨｃの値が、３３０であるか否かを判定する（Ｓ２１）。判定カウンタＨｃの値が３３０であるときには、判定カウンタＨｃの値を初期化する（Ｓ２２）。この処理によって、判定カウンタＨｃの値は０〜３２９の循環数となる。
【００１１】
そして、循環カウンタＭ１にリセット時間（所定時間（２ｍｓ））毎に１を加算し（Ｓ２５）、循環カウンタＭ１の値が１５であるか否かを判定する（Ｓ２６）。そして、循環カウンタＭ１の値が１５であるときには、循環カウンタＭ１を初期化すると共に、循環カウンタＭ２に１を加算する（Ｓ２７）。
次に、循環カウンタＭ２が１５であるか否かを判定し（Ｓ２８）、循環カウンタＭ２の値が１５であるときには、循環カウンタＭ２を初期化すると共に、循環カウンタＭ３に１を加算する（Ｓ２９）。
そして、循環カウンタＭ３が１５であるか否かを判定し（Ｓ３０）、循環カウンタＭ３の値が１５であるときには、循環カウンタＭ３を初期化する（Ｓ３１）処理を行うことによって、循環カウンタＭ１、Ｍ２、Ｍ３の値（０〜１４）は、図柄Ｘ（０〜９、Ａ〜Ｅ）の１５種類に対応する。
【００１２】
又、循環カウンタＮ１、Ｎ２、Ｎ３についても、前記循環カウンタＭ１と同様な処理を行って、０〜２の循環数とし（Ｓ３１〜Ｓ３７）、これらの循環カウンタＮ１、Ｎ２、Ｎ３の値（０〜２）は、付随図柄Ｙ（「グー」、「チョキ」、「パー」）の３種類に対応する。
そして、再変動数Ｎは、ステップ３７〜３９の処理によって、「０〜９」の循環数となり、後記で詳述するが、図４（Ｂ）に示すように、Ｎが１〜３のとき、再変動可能に付随図柄Ｙを選択する。
【００１３】
尚、前記循環カウンタＭ１、Ｍ２、Ｍ３、によって選定された図柄は、下記の要領で表示される。
（イ）大当たりのときには、第１図柄表示部Ｌ１、第２図柄表示部Ｌ２及び第３図柄表示部Ｌ３には、循環カウンタＭ１の値に対応する大当たり図柄（全て同じ図柄）を表示する。
（ロ）リーチのときには、大当たりにはならないが、外れリーチ図柄として、第１図柄表示部Ｌ１と第２図柄表示部Ｌ２には循環カウンタＭ１の値の図柄であって同じ図柄を表示するが、第３図柄表示部Ｌ３には循環カウンタＭ３の値（但し、循環カウンタＭ１と異なる値）に対応する図柄を表示して、前記第１図柄表示部Ｌ１とは異なる図柄を表示する。
（ハ）外れのときには、第１図柄表示部Ｌ１、第２図柄表示部Ｌ２及び第３図柄表示部Ｌ３には循環カウンタＭ１、循環カウンタＭ２（但し、循環カウンタＭ１と異なる値）、循環カウンタＭ３の値に対応する図柄を表示する。
【００１４】
又、第１図柄表示部Ｌ１、第２図柄表示部Ｌ２、第３図柄表示部Ｌ３に表示の付随図柄Ｙは、適宜選定した循環カウンタＮ１、Ｎ２、Ｎ３の値に対応して表示するが、「大当たり」と「リーチ」のときであって、且つ、再変動数Ｎが「１〜３」のときには、図４（Ｂ）に示す変動付随図柄を選択し、第３図柄表示部Ｌ３の図柄が再変動する条件は、第３図柄表示部Ｌ３における付随図柄Ｙ３が、第１図柄表示部Ｌ１と第２図柄表示部Ｌ２における付随図柄Ｙ１、Ｙ２に対して、ジャンケンゲームで共に勝っている場合とする。
例えば、再変動数Ｎ（＝ＮＮ）が「１」のときには、図４（Ｂ）に示すように、付随図柄Ｙ１、Ｙ３、Ｙ２は、「グー」、「パー」、「グー」であり、付随図柄Ｙ３（パー）は、付随図柄Ｙ１、Ｙ２（グー）に対して勝っているので、第３図柄表示部Ｌ３の図柄を再変動する。尚、Ｎ（＝ＮＮ）が「２」、「３」のときも同様であるので、説明を略す。
【００１５】
図３は、図柄始動口８ａ、８ｂに入賞した入賞球の処理を行うものであり、先ず、遊技球が、図柄始動口８ａ、８ｂに入賞したか否かを判断し（Ｓ７１）、入賞しないときはこの処理を終了する。
次に、判定メモリＱ（１）が「０」であるか否かを判定し（Ｓ７３）、「０」であるときには、入賞球の可変表示ゲームを実施中であるか、或いは、入賞球がない状態であるので、カウンタＩの値を１にセットする（Ｓ７４）。
即ち、ステップ８１以下で詳述する判定メモリＱを記憶する番地（１〜４）をセットする。
【００１６】
反対に、判定メモリＱ（１）が「０」でないときには、判定メモリＱ（２）の値が「０」であるか否かを判断し（Ｓ７５）、「０」であるときには、カウンタＩを２にセットする（Ｓ７６）。以下、順次、判定メモリＱ（３）、Ｑ（４）について判断すると共に、カウンタＩの値をセットする（Ｓ７７〜Ｓ８０）。
また、判定メモリＱ（４）が「０」でないときには、既に、最大記憶（４個）があるため、この入賞球を無視するので、このルーチンの処理を終了する。
尚、可変表示ゲームに寄与する前記入賞球の判定メモリＱ（Ｉ）が、「０」でない数に対応して、図柄表示装置１０に配設の記憶ランプＬRを点灯するので、遊技者は残りの可変表示ゲームの数を知ることができる。
【００１７】
そして、前記読み込んだ判定カウンタＨｃ（０〜３２９）の値が「７」であるか否かを判定する（Ｓ８１）。そして、「７」であるときには、後記の可変表示ゲームにおいて大当たりを生起するために、判定メモリＱ（Ｉ）に１を書込む（Ｓ８２）。
次に、前記判定カウンタＨｃ（０〜３２９）の値が「８０〜９０」であるときには、リーチとし、後記の可変表示ゲームにおいてリーチアクションを行うが最終的は外れであり、判定メモリＱ（Ｉ）に２を書込み（Ｓ８３、Ｓ８４）、それ以外の場合には判定メモリＱ（Ｉ）に３を書込んで外れとする（Ｓ８５）。
以上の処理によって、判定メモリＱ（Ｉ）（Ｉ＝１〜４）は、大当たりの場合には「１」、リーチ（大当たりにはならない）のときには「２」、外れの場合には「３」の何れかが記憶される。
【００１８】
次に、図４は、図柄始動口８ａ、８ｂに入賞した入賞球に対する可変表示ゲームの処理を行う概念を示す制御フローであり、先ず、可変表示ゲームの記憶（判定メモリＱ（１）が０）であるか否かを判定し（Ｓ１０１）、「０」のときには入賞球がないので、この処理を終了するが、記憶があるときには、判定メモリＱ（１）を記憶変数ＱＱに記憶すると共に、判定メモリＱ（Ｉ）の値を判定メモリＱ（Ｉ−１）にシフトし、「０」でないＱ（Ｉ）（最大のＩの値）を「０」にセットして新たな入賞球に対処する（Ｓ１０２）。
【００１９】
そして、図柄変動信号によって、図柄表示器Ｌには、図１に示すように、第１図柄表示部Ｌ１、第２図柄表示部Ｌ２、第３図柄表示部Ｌ３に区分表示されて、それらの図枠内において図柄Ｘと、その図柄に邪魔にならない程度の濃淡をもって付随図柄Ｙを一斉に変動開始する（Ｓ１０３）。
そして、停止図柄の選定を行うに当たって、先ず、大当たり（ＱＱ＝１）又はリーチ（ＱＱ＝２）であるか否かを判断し（Ｓ１０４）、大当たりのときには、前記した第１図柄表示部Ｌ１、第２図柄表示部Ｌ２及び第３図柄表示部Ｌ３には、循環カウンタＭ１の値に対応する大当たり図柄（全て同じ図柄）を確定表示するためにセットする（Ｓ１０５）。
又、リーチのときには第１図柄表示部Ｌ１と第２図柄表示部Ｌ２には循環カウンタＭ１の値の図柄であって同じ図柄を表示するが、第３図柄表示部Ｌ３には循環カウンタＭ３の値（但し、循環カウンタＭ１と異なる値）に対応する図柄を確定表示するためにセットする（１０５）。
【００２０】
又、同時に、循環数である再変動数Ｎを記憶再変動数「ＮＮ」に記憶し（Ｓ１０５）、この付随図柄抽選手段の記憶再変動数ＮＮが、「１、２、３」（確率：３／１０）の何れかであるか否かを判断する（Ｓ１０６）。そして、該当する場合には、付随図柄として、図４（Ｂ）に示すように、記憶再変動数「ＮＮ」が「１」のときには、付随図柄Ｙ１、Ｙ３、Ｙ２は「グー」、「パー」、「グー」、記憶再変動数「ＮＮ」が「２」のときには、付随図柄Ｙ１、Ｙ３、Ｙ２は「パー」、「チョキ」、「パー」、記憶再変動数「ＮＮ」が「３」のときには、付随図柄Ｙ１、Ｙ３、Ｙ２は「チョキ」、「グー」、「チョキ」に選定する（Ｓ１０７）。
【００２１】
尚、このステップ１０７において、第３図柄表示部Ｌ３の図柄Ｘ３は再変動を行うので、前記ステップ１０５で選定の確定図柄を当初から停止図柄として表示してもよいが、他の図柄を表示するように停止図柄として、例えば、循環カウンタＭ１に記憶再変動数「ＮＮ」を加算した数に対応する図柄を選定するのが望ましい。即ち、停止図柄と確定図柄を異にすることによって、当初、外れ図柄の表示であるが、再変動した後に大当たり図柄を表示することによって、遊技者に対してゲームを盛り上げる意味で好ましい。
【００２２】
以上のように、記憶再変動数ＮＮ（０〜９）が、「１、２、３」を選定するのは、３／１０の確率であり、この確率で、大当たりとリーチのときには、第３図柄表示部Ｌ３の図柄の再変動を行う様に構成して、遊技の多様化を図って、再変動の面白さを発揮している。
【００２３】
一方、前記記憶再変動数ＮＮが、１、２、３でないとき（確率７／１０）には、付随図柄Ｙ１、Ｙ２、Ｙ３は、循環カウンタＮ１、Ｎ２、Ｎ３の値に対応したものに設定するが、偶然に、図４（Ｂ）に該当する場合には修正して、第３図柄表示部Ｌ３の図柄変動を行わない付随図柄の組合せにする（Ｓ１０８）。
又、前記ステップ１０４において、外れ（ＱＱ＝３）のときには、ステップ１０８と同じ処理を行う。
【００２４】
次に、順次、図柄表示部Ｌ１、Ｌ２、Ｌ３の図柄Ｘ及び付随図柄Ｙの停止を行う過程について説明する。尚、この付随図柄Ｙは、図柄表示部Ｌ１、Ｌ２、Ｌ３と同時に確定表示してもよいし、全ての図柄表示部Ｌ１、Ｌ２、Ｌ３が停止した以後に、表示してもよい。
先ず、この可変表示ゲームにおいて、大当たり（ＱＱ＝１）か、又は、リーチ（ＱＱ＝２）であるか否かを判断し（Ｓ１１０）、外れ（ＱＱ＝３）のときには、前記ステップ１０９と１０８で選定の図柄Ｘ（Ｘ１〜Ｘ３）と付随図柄Ｙ（Ｙ１〜Ｙ３）を第１図柄表示部Ｌ１（Ｓ１１１）、第２図柄表示部Ｌ２（Ｓ１１２）、第３図柄表示部Ｌ３（Ｓ１１３）に表示して外れ処理を行う。
【００２５】
尚、この外れ処理における図柄表示部Ｌ１、Ｌ２、Ｌ３に表示の付随図柄Ｙ（Ｙ１〜Ｙ３）は再変動可能な組合せでないので、図柄Ｘ（Ｘ１〜Ｘ３）は確定表示して、この可変表示ゲームを終了する。例えば、図５（Ａ）に示すように、図柄Ｘ１、Ｘ３、Ｘ２は「７、３、３」であり、付随図柄Ｙ１、Ｙ３、Ｙ２は「パー、チョキ、チョキ」である。この付随図柄Ｙ３（チョキ）は、付随図柄Ｙ１に勝っているが、付随図柄Ｙ２とは「あいこ」である。
従って、この組合せの付随図柄Ｙ（Ｙ１〜Ｙ３）は、第３図柄表示部Ｌ３の図柄の再変動を行わないし、例え、第３図柄表示部Ｌ３の図柄Ｘ３が再変動しても大当たり図柄にならない。
【００２６】
一方、前記ステップ１１０において、大当たりか（ＱＱ＝１）かリーチ（ＱＱ＝２）の場合には、リーチアクションを実行するために、先ず、第１図柄表示部Ｌ１に図柄Ｘ１（及び付随図柄Ｙ１）を表示し（Ｓ１１５）、次に、第２図柄表示部Ｌ２にも図柄Ｘ１と同じ図柄Ｘ２（及び）付随図柄Ｙ２を表示して（Ｓ１１６）、リーチ態様を表示する。
次に、再度、大当たり（ＱＱ＝１）であるか否かを判定し（Ｓ１１７）、大当たりでないときには、第３図柄表示部Ｌ３の図柄Ｘ３を、遊技者に見える程度の可変速度でリーチアクションの表示を行った後に、図柄Ｘ３及び付随図柄Ｙ３を停止表示する（Ｓ１２０、Ｓ１２１）。
【００２７】
そして、記憶再変動数ＮＮが「１、２、３」の何れかであるか否かを判断し（Ｓ１２２）、何れでもないときには、付随図柄の組合せＹ（Ｙ１〜Ｙ３）は、第３図柄表示部Ｌ３の図柄Ｘ３を再変動しないので、この可変表示ゲームを終了する。
一方、記憶再変動数ＮＮが「１、２、３」の何れかである時には、図４（Ｂ）の何れかの付随図柄が選択されているので、第３図柄表示部の図柄Ｘ３を再変動し（Ｓ１２３）、その後、前記ステップ１０７に於て、停止図柄（ステップ１２１で表示）は記憶再変動数「ＮＮ」を加算した数に対応する図柄に選定してあるので、記憶再変動数「ＮＮ」を減算した数に対応する図柄を確定表示する（Ｓ１２４）。尚、この図柄Ｘ３は、前記ステップ１０５で選定した外れ図柄である。
【００２８】
以上のように、リーチにおいては、リーチアクションを行った後に、記憶再変動数「ＮＮ」が「１、２、３」のときには、第３図柄表示部Ｌ３の図柄の再変動を行うが、それ以外のときには行わない。
例えば、図５（Ｂ）に示すように、ステップ１２１における表示態様は、図柄Ｘ１、Ｘ３、Ｘ２（「７、３、７」）、付随図柄Ｙ１、Ｙ３、Ｙ２（「グー、チョキ、グー」）であるので、この付随図柄Ｙ３（チョキ）は、付随図柄Ｙ１、Ｙ２に負けているので、第３図柄表示部Ｌ３の図柄の再変動を行わない。
しかし、図５（Ｃ）に示すように、ステップ１２１における表示態様は、図柄Ｘ１、Ｘ３、Ｘ２（「７、３、７」）、付随図柄Ｙ１、Ｙ３、Ｙ２（「パー、チョキ、パー」）であるので、この付随図柄Ｙ３（チョキ）は、付随図柄Ｙ１、Ｙ２に勝っているので、第３図柄表示部Ｌ３の図柄の再変動を行って、遊技者に大当たりとなる期待感を与えるが、この処理は、大当たりにならないリーチ（ＱＱ＝２）であるので、外れ図柄を確定表示する。
【００２９】
次に、大当たりとなる場合の処理について説明すると、前記ステップ、１１７に於て、大当たり（ＱＱ＝１）の時には、前記リーチと同様に、第３図柄表示部Ｌ３の図柄Ｘ３を遊技者に見える程度の可変速度でリーチアクションの表示を行った後に（Ｓ１３１）、図柄Ｘ３及び付随図柄Ｙ３を停止表示する（Ｓ１３２）。
そして、記憶再変動数ＮＮが、「１、２、３」の何れかであるか否かを判断し（Ｓ１３３）、何れでもないときには、付随図柄の組合せＹ（Ｙ１〜Ｙ３）は、第３図柄表示部Ｌ３の図柄Ｘ３を再変動しないので、図柄表示部Ｌ１〜Ｌ３には、当初から大当たり図柄が表示されて、その後、大当たり処理を行う（Ｓ１３６）。
一方、記憶再変動数ＮＮが「１、２、３」の何れかである時には、図４（Ｂ）の何れかの付随図柄が選択されていて、第３図柄表示部の図柄Ｘ３を再変動する条件であるので、図柄Ｘ３を変動後、前記ステップ１０７に於て、停止図柄（ステップ１３２で表示）として選定の記憶再変動数「ＮＮ」を加算した数に対応する図柄を元の図柄に選定し直すために、記憶再変動数「ＮＮ」を減算した数に対応する図柄を確定表示する（Ｓ１３５）。即ち、この図柄Ｘ３は、前記ステップ１０５で選定した大当たり図柄であり、その後、大当たり処理を行う（Ｓ１３６）。
【００３０】
以上によって、この大当たりにおいては、リーチアクションを行った後に、記憶再変動数「ＮＮ」が「１、２、３」のときには、第３図柄表示部Ｌ３の図柄の再変動を行うが、それ以外のときには行わない。
例えば、図５（Ｃ）に示すように、ステップ１３２における表示態様は、図柄Ｘ１、Ｘ３、Ｘ２（「７、３、７」）、付随図柄Ｙ１、Ｙ３、Ｙ２（「パー、チョキ、パー」）であるので、この付随図柄Ｙ３（チョキ）は、付随図柄Ｙ１、Ｙ２に勝っているので、第３図柄表示部Ｌ３の図柄の再変動を行って、図柄表示部Ｌ１、Ｌ２、Ｌ３には大当たり図柄が表示される（Ｓ１３５）。
又、図５（Ｄ）に示すように、ステップ１３２における表示態様は、図柄Ｘ１、Ｘ３、Ｘ２（「７、７、７」）、付随図柄Ｙ１、Ｙ３、Ｙ２（「グー、チョキ、グー」）の大当たり図柄を表示し、付随図柄Ｙ３（チョキ）は、付随図柄Ｙ１、Ｙ２に負けているので、第３図柄表示部Ｌ３の図柄の再変動を行なわず、大当たり図柄を確定表示する。
しかし、図５（Ｅ）に示すように、ステップ１３２における表示態様は、図柄Ｘ１、Ｘ３、Ｘ２（「７、７、７」）、付随図柄Ｙ１、Ｙ３、Ｙ２（「パー、チョキ、パー」）の大当たり図柄を表示しているが、付随図柄Ｙ３（チョキ）は、付随図柄Ｙ１、Ｙ２に勝っているので、第３図柄表示部Ｌ３の図柄の再変動を行うことによって、遊技者は再度大当たり図柄になるか疑心暗気になるが、この場合は、大当たり（ＱＱ＝１）であるので、図柄表示部Ｌ１、Ｌ２、Ｌ３には、再度、大当たり図柄が表示される（Ｓ１３５）。（但し、この場合には、前記ステップ１０７において、ステップ１３２で表示する図柄を、記憶再変動数「ＮＮ」を加算した数に対応する図柄に変更することを行わない）。
尚、この場合の反対として、ステップ１２１において大当たり図柄を表示して遊技者に一時の喜びを与え、付随図柄Ｙの条件により、第３図柄表示部Ｌ３の図柄を再変動させて、最終的に、外れ図柄を確定表示させる「リーチ」を採用してもよい（Ｓ１２３、Ｓ１２４）。
【００３１】
以上のように、図柄表示部Ｌ１、Ｌ２、Ｌ３には図柄Ｘ（Ｘ１〜Ｘ３）の他に付随図柄Ｙ（Ｙ１〜Ｙ３）を表示し、それらの付随図柄Ｙの態様によって、図柄表示部Ｌ３の図柄を再変動する構成によって、新たな面白味のある可変表示ゲームとなる。
【００３２】
尚、前記例に於ける付随図柄Ｙ（Ｙ１、Ｙ２、Ｙ３）は、図柄表示部Ｌ１〜Ｌ３に表示の図柄Ｘ（Ｘ１、Ｘ２、Ｘ３）に対応させて構成してあるが、必ずしも対応させることなく、即ち、付随図柄Ｙの表示個数も任意であるし、また、この付随図柄Ｙは、前記の様な図柄と異なって物語風に表示してもよく、この付随図柄Ｙによって、図柄表示部の図柄Ｘを再変動可能か否か判定可能に構成すればよい。
又、付随図柄Ｙ（Ｙ１、Ｙ２、Ｙ３）は、図柄表示部Ｌ１〜Ｌ３に表示の図柄Ｘ（Ｘ１、Ｘ２、Ｘ３）と同じ箇所に表示する必要はなく、他の箇所であってもよい。
【００３３】
又、前記の例は、リーチ及び大当たりに限定し、且つ、第３図柄表示部Ｌ３のみが再変動する構成であるが、外れの場合やリーチの場合においても再変動可能に構成できる。又、変動可能な図柄表示部は、第１図柄表示部Ｌ１でも第２図柄表示部Ｌ２であってもよいし、更には、第１図柄表示部Ｌ１と第２図柄表示部Ｌ２の双方であっても、時には全ての図柄図柄表示部において変動可能に構成することができ、遊技内容に対応して種々の組合せをもって、再変動可能な図柄表示部を選択して構成できることはいうまでもない。
また、付随図柄には図柄の他に、音声、光等を介して、何れかの図柄表示部の再変動（或いは大当たりの再選定等）を可能に構成することによって、新たな面白味のある遊技機となる。
【００３４】
又、抽選手段によって、図柄表示部の図柄の再変動するか否かが選定され、その確率は、予め設定された確率（前記例では３／１０の確率）に基づいているが、この抽選を行う前の遊技状態（例えば、大当たり回数、リーチ回数、可変表示ゲーム回数等）を考慮して、適宜、確率を変更して構成してもよい。例えば、大当たり回数、リーチ回数、可変表示ゲーム回数が多くなるに従って、高確率で再変動可能に構成して、種々の遊技状態に対応して、再変動する可能性の面白さを発揮させるように構成してもよい。尚、この場合、大当たり回数等は、制御フローにカウンタを設け、そのカウンタによって確率を変更するように構成すればよく、具体的なフロー図は略す。
【００３５】
次に、前記における付随図柄Ｙは、ジャンケンゲームの「グー、チョキ、パー」を例示したが、その他、図６に示すような、複数種の付随図柄から選択可能に構成して、遊技の面白さを発揮する。
その複数種の付随図柄として、（１）グー、チョキ、パーの他に、（２）雨、風、太陽、（３）風、火、山、（４）プラスと中性とマイナス等の他に、火とマッチと水、数字の大小、水と油と火等の組合せとして、予め設定のルールに従って再変動させるか否かを選択可能に構成することであってもよい。
また、これらの付随図柄は、大当たり回数、リーチ回数、可変表示ゲーム回数等によって選択可能であり、付随図柄の変更による面白さを発揮させることができると共に、選択された付随図柄から大当たり回数等の推測ができる。
尚、この場合、大当たり回数等は、制御フローにカウンタを設け、そのカウンタによって前記何れかの付随図柄を選定するように構成すればよく、具体的なフロー図は略す。
【００３６】
又、遊技機の正面の貯留皿４の左上には、操作手段（押し釦）Ｓが設けてあり、この押し釦Ｓを押す毎に、前記図６に示す、付随図柄態様が順に（１）グー、チョキ、パー、（２）雨、風、太陽、（３）…に図柄表示器Ｌに表示される。そして、そのまま、例えば、５秒間、放置することによって、図柄表示器Ｌに表示の付随図柄が選択される。そのため、遊技者は、操作手段によって、好みの付随図柄で遊技を行うことができる。尚、この制御フローの具体的な図は略す。
【００３７】
又、再変動を行うに当たって、図柄表示部に表示するテーマ物語を選択可能に構成することもできる。
例えば、付随図柄が「雨、風、太陽」であるときには、再変動するときに選択された図柄が、例えば、風であるときには、風をテーマとする図柄Ｘを吹き飛ばしたり選択する様を物語風に表示の「Ａテーマ物語」、太陽のときには、太陽をテーマとする図柄Ｘを廃棄したり選択する様を物語風に表示の「Ｂテーマ物語」、雨であるときには、雨をテーマとする図柄Ｘを廃棄したり選択する様を物語風に表示の「Ｃテーマ物語」を選択して表示したり、或いは、複数の「Ａ〜Ｃテーマ物語」を予め準備し、その何れかを抽選等によって選択して表示することによって、単に、同じ図柄を変動表示するのに比べて、興味の向上を図ることができる。
即ち、複数のテーマ物語を予め備えていて、付随図柄に依存してもよいし、依存しないで選択してもよく、選択されたテーマ物語の態様で再変動を行うことは、遊技者に異なった興趣を与えることができる。
尚、前記における実施の形態に示す形式のパチンコ機の他、他の形式のパチンコ機及び他の形式の遊技機に対しても適用できることはいうまでもない。
【００３８】
【発明の効果】
本願の遊技機は、可変表示ゲームにおいて、図柄表示部に図柄と共に付随図柄が表示され、その付随図柄の組合せによって、図柄表示部の図柄を再変動可能に構成してあるので、外れ図柄等が一時的に表示されても、図柄表示部の図柄が再変動することによって大当たりとなる可能性がある。
【図面の簡単な説明】
【図１】遊技機（パチンコ機）の正面図である。
【図２】（Ａ）（Ｂ）は、各種変数の初期化と判定カウンタＨｃ等の作成を示す図である。
【図３】入賞球の処理の概念を示す制御フローを示す図である。
【図４】（Ａ）は可変表示ゲームの制御フローの概念を示す図、（Ｂ）は再変動する付随図柄の組合せを示す図である。
【図５】（Ａ）（Ｂ）（Ｃ）（Ｄ）（Ｅ）は、図柄表示器に示す図柄Ｘと付随図柄Ｙの表示態様を示す図である。
【図６】付随図柄態様を示す図である。
【符号の説明】
７ａ、７ｂ  始動ゲート
９  大入賞器
８ａ  図柄始動口（普通電動役物）
８ｂ  図柄始動口
１０  図柄表示装置
１３  普通図柄表示器
Ｌ  図柄表示器
Ｌ１〜Ｌ３  図柄表示部
Ｘ（Ｘ１、Ｘ２、Ｘ３）  図柄
Ｙ（Ｙ１、Ｙ２、Ｙ３）  付随図柄
【図１】
0004560865.tif 000002
【図２】
0004560865.tif 000003
【図３】
0004560865.tif 000004
【図４】
0004560865.tif 000005
【図５】
0004560865.tif 000006
【図６】
0004560865.tif 000007